(57)【要約】【課題】被投影面の画面内に、周期的なドット状の模様などのない高品位の画像を投影することのできる投影型画像表示装置を提供する。【解決手段】光源１と、光を変調するための画素領域を有する画像表示パネル８と、光源１からの光を複数の波長域の光に分離し、分離された波長域の光を画素領域に集光させる光制御手段４〜７と、画像表示パネル８で変調された光を投影する光学系１１と、各フレーム画像のデータから複数のサブフレーム画像のデータを生成し、画像表示パネルに時分割で表示させる回路１４と、サブフレーム画像を被投影面上でシフトさせる光学シフト素子１０とを備え、光学シフト素子１０が、画像表示パネル８から出射する前記分離された複数の波長域の光のうち、人間に対して最も視感度の高い波長領域の光を被投影面上において画像表示パネル８の画素ピッチの整数倍だけシフトするよう、光学シフト素子１０が視感度の高い波長領域の光に対して最適化されている投影型画像表示装置。【選択図】　図１
2004145217.tif 000002
【特許請求の範囲】
【請求項１】
光源と、
各々が光を変調することができる複数の画素領域を有する画像表示パネルと、
前記光源からの光を複数の波長域の光に分離し、前記分離された波長域の光をその波長域に応じて前記複数の画素領域のうちの対応する画素領域に集光させる光制御手段と、
前記画像表示パネルで変調された光によって被投影面上に画像を形成する光学系と、
前記画像を構成する各フレーム画像のデータから複数のサブフレーム画像のデータを生成し、前記画像表示パネルによって前記複数のサブフレーム画像を時分割で表示させる回路と、
前記画像表示パネルによって表示される前記複数のサブフレーム画像のうち選択されたサブフレーム画像を前記被投影面上でシフトさせる光学シフト素子と、を備えた投影型画像表示装置であって、
前記光学シフト素子が、前記画像表示パネルから出射する前記分離された複数の波長域の光のうち、人間に対して最も視感度の高い波長領域の光を被投影面上において前記画像表示パネルの画素ピッチの整数倍だけシフトさせるよう、前記光学シフト素子が前記視感度の高い波長領域の光に対して最適化されている投影型画像表示装置。
【請求項２】
前記光学シフト素子は、光の偏向方向を変調する液晶層、および、光の偏向方向により屈折率の異なる複屈折板をそれぞれ有する第１および第２の光学シフト部を含み、前記第１および第２の光学シフト部の複屈折板の光学軸の入射面の法線に対する角度および前記複屈折板の厚さが、前記視感度の高い光に対して最適化されている請求項１に記載の投影型画像表示装置。
【請求項３】
前記視感度の高い波長領域の光は、波長５５０ｎｍの光を含む請求項２に記載の投影型画像表示装置。
【請求項４】
前記複屈折板の光学軸は、前記光学シフト素子の複屈折板の入射面の法線に対して角度θをなしており、前記角度θは、４０〜５０度の範囲にある請求項３に記載の投影型画像表示装置。
【請求項５】
前記視感度の高い波長領域の光は、前記第１の光学シフト部の複屈折板の入射面の法線に対して角度αをなすよう前記複屈折板の入射面に入射し、前記視感度の高い波長領域の光の入射角は前記複屈折板の光学軸に対して角度θ＋αをなしている請求項４に記載の投影型画像表示装置。
【請求項６】
前記複屈折板は水晶板である請求項５に記載の投影型画像表示装置。
【請求項７】
前記光制御手段は、前記光源から放射される白色光を前記複数の波長域の光に分離するための複数のダイクロイックミラーと、前記ダイクロイックミラーにより、分離された光を前記画像表示パネルの対応する画素領域へ集光するために、前画像表示パネルに設けられたマイクロレンズアレイとを含む請求項１に記載の投影型画像表示装置。
【発明の詳細な説明】
【０００１】
【発明の属する技術分野】
本発明は、画像表示装置に関し、特にカラーフィルタを用いずに１枚の画像表示パネルを用いてカラー表示を行うことができる単板式投影型画像表示装置に関している。本発明は、コンパクトな投影型カラー液晶テレビジョンシステムや情報表示システムに好適に用いられ得る。
【０００２】
【従来の技術】
画像表示装置として、液晶表示パネルを用いた投影型画像表示装置が従来より知られている。液晶表示パネルを用いた投影型画像表示装置では、液晶表示パネル自体が発光しないため、別に光源を設ける必要がある。しかし、ＣＲＴを用いた投影型画像表示装置と比較すると、色再現範囲が広い、小型、軽量、コンバージェンス調整が不用などの非常に優れた特徴を持っている。
【０００３】
液晶表示パネルを用いた投影型画像表示装置によってフルカラー表示を行うには、３原色に応じて液晶表示パネルを３枚用いる３板式と、１枚のみを用いる単板式がある。
【０００４】
３板式の投影型画像表示装置では、白色光を赤（Ｒ）、緑（Ｇ）、および青（Ｂ）の３原色それぞれに分割する光学系と、Ｒ、Ｇ、およびＢ色の光をそれぞれ変調して画像を形成する３枚の液晶表示パネルとを用い、Ｒ、Ｇ、およびＢ色の各々の画像を光学的に重畳することによってフルカラーの表示を実現している。
【０００５】
３板式の投影型画像表示装置では、白色光源から放射される光を有効に利用できるが、光学系が繁雑で部品点数が多くなってしまうため、一般に、コストおよびサイズの観点で単板式の投影型画像表示装置よりも不利である。
【０００６】
単板式の投影型画像表示装置は、モザイク状またはストライプ状に配列した３原色のカラーフィルタを備えた１枚の液晶表示パネルを用いる。そして、液晶表示パネルで表示したフルカラー画像を投影光学系によってスクリーンなどの被投影面に投影する。このような単板式の投影型画像表示装置は、例えば特許文献１に記載されている。単板式の場合、１枚の液晶表示パネルを用いるので、光学系も３板式の場合に比較して単純な構成で済み、小型の投影型画像表示装置を低コストで提供するのに適している。
【０００７】
しかし、カラーフィルタを用いる単板式の場合、カラーフィルタでの光吸収が発生するため、同等の光源を用いた３板式の場合と比較して画像の明るさが約１／３に低下してしまう。また、液晶表示パネルのＲ、Ｇ、Ｂに対応する３つの画素領域が１組となって１画素の表示を行う必要があるため、画像の解像度も３板式の解像度の１／３に低下してしまう。
【０００８】
光源を明るくすることは明るさ低下に対する１つの解決法であるが、民生用として使用する場合、消費電力の大きな光源を用いることは好ましくない。また、吸収タイプのカラーフィルタを用いる場合、カラーフィルタに吸収された光のエネルギーは熱に変わるため、いたずらに光源を明るくすると、液晶表示パネルの温度上昇を引き起こすだけでなく、カラーフィルタの退色が加速される。従って、与えられた光をいかに有効に利用するかが、投影型画像表示装置の利用価値を向上させる上で重要な課題である。
【０００９】
単板式投影型画像表示装置による画像の明るさを向上させるため、カラーフィルタを用いずにフルカラー表示を行う液晶表示装置がたとえば特許文献２に開示されている。この液晶表示装置では、光源から放射された白色光をダイクロイックミラーのような誘電体ミラーによってＲ、Ｇ、Ｂの各光束に分割し、液晶表示パネルの光源側に配置されたマイクロレンズアレイに異なった角度で入射させる。マイクロレンズに入射した各光束は、マイクロレンズを透過することによって、入射角に応じて対応する画素領域に集光される。このため、分離されたＲ、Ｇ、Ｂの各光束は、別々の画素領域で変調され、フルカラー表示に用いられる。
【００１０】
上記の誘電体ミラーを用いる代わりに、Ｒ、Ｇ、Ｂ光に対応する透過型のホログラム素子を用いて光利用率向上を図った表示装置が特許文献３に開示され、画素ピッチに対応した周期的構造を透過型ホログラム素子に持たせ、誘電体ミラーおよびマイクロレンズの機能を与えた装置が特許文献４に開示されている。
【００１１】
単板式のもう１つの課題である解像度については、フィールド順次方式を採用することによって１枚の液晶表示パネルで３板式と同等の解像度を得ることができる。フィールド順次方式では、人間の視覚で分解できない速さで光源の色の切り替えを行うことにより、時分割表示される各画像の色が加法混色によって構成される現象（継続加法混色）を利用する。
【００１２】
フィールド順次方式でフルカラー表示を行う投影型画像表示装置は、例えば、図１５に示す構成を有している。この表示装置では、Ｒ、Ｇ、Ｂのカラーフィルタから構成された円盤を液晶表示パネルの垂直走査周期に合わせて高速に回転させ、カラーフィルタの色に対応した画像信号を液晶表示パネルの駆動回路に順次入力する。人間の目には、各色に対する画像の合成像が認識される。
【００１３】
このようなフィールド順次方式の表示装置によれば、単板方式と異なり、液晶表示パネルの各画素でＲ、Ｇ、Ｂ画像を時分割で表示するため、その解像度は３板式と同等レベルになる。
【００１４】
フィールド順次方式の他の表示装置として、Ｒ、Ｇ、Ｂの各々の光束で液晶表示パネルの異なる領域を照射する投影型画像表示装置が非特許文献１に開示されている。この表示装置では、光源から放射された白色光を誘電体ミラーによってＲ、Ｇ、Ｂの光束に分離し、Ｒ、Ｇ、Ｂの各々の光束で液晶表示パネルの異なる領域を照射する。液晶表示パネルに対するＲ、Ｇ、Ｂの光照射位置は、キューブ状のプリズムを回転させることによって順次切り替えられる。
【００１５】
しかしながら、特許文献２、特許文献３および特許文献４等に記載されている装置によれば、確かに明るさは改善されるが、解像度は３板式の１／３のままである。その理由は、１つの画素（ドット）を表示するのに空間的に分離されたＲ、Ｇ、およびＢ用の３つ画素を１組として用いるためである。
【００１６】
これに対して、通常のフィールド順次方式の場合は解像度が３板式の解像度と同等レベルに改善される。しかし、画像の明るさに関しては、カラーフィルタを用いるため、従来の単板式と同様の問題を有している。
【００１７】
一方、非特許文献１に記載されている上記の表示装置の場合、Ｒ、Ｇ、Ｂの光照射位置を相互に重複させないようにする必要があるが、そのためには平行度が非常に優れた照明光を必要とする。従って、照明光の平行度の規制によって光の利用効率が低下してしまうことになる。
【００１８】
以上のように、上述した従来技術では、何れも、単板式の課題である明るさおよび解像度の両方を改善させることは実現していない。
【００１９】
これに対して、出願人は、特許文献５および６に示す単板式の投影型画像表示装置を提案している。
【００２０】
特許文献５に記載されている投影型画像表示装置では、特許文献２に記載されている液晶表示装置と同様の液晶表示装置を用い、同様の方法で白色光を色毎の光束に分割し、各光束を異なった角度で画素領域に入射させている。この投影型画像表示装置では、光利用効率の向上と高解像度化の両立を実現するために、各フレーム画像を複数のサブフレーム画像に時分割し、液晶表示パネルの垂直走査周期に同期させて光束の入射角度を周期的に切り替えている。
【００２１】
また、特許文献６に示す投影型画像表示装置では、ダイクロイックミラー用いて白色光をＲ、Ｇ、Ｂの光束に分割し、マイクロレンズアレイを用いて各光束を異なった角度で画像表示パネルの異なる画素領域に入射させる。画像表示パネルには、画像を構成する各フレーム画像のデータから生成された複数のサブフレーム画像のデータを時分割で表示させる。そして、これらのサブフレーム画像を被投影面上で順次シフトさせることによりが画像表示パネルの異なる画素領域で変調された異なる波長域に属する光（Ｒ、Ｇ、Ｂ光）で被投影面上の同一領域を順次照射する。
【００２２】
これらの投影型画像表示装置によれば、カラーフィルタを用いないため、高い光の利用効率が達成することができ、また、高解像度の画像を表示させることができる。
【００２３】
【特許文献１】
特開昭５９−２３０３８３号公報
【特許文献２】
特開平４−６０５３８号公報
【特許文献３】
特開平５−２４９３１８号公報
【特許文献４】
特開平６−２２２３６１号公報
【特許文献５】
特開平９−２１４９９７号公報
【特許文献６】
国際公開第ＪＰ０１／０５０４１号パンフレット
【非特許文献１】
第６回インターナショナルディスプレーワークショップ（ＩＤＷ）予稿集、１９９９年１２月、Ｐ９８９〜Ｐ９９２
【００２４】
【発明が解決しようとする課題】
上述の特許文献５および６に開示された画像表示装置のうち、特許文献６の画像表示装置では、画像表示パネルへ入射するＲ、Ｇ、Ｂの光束の入射角が異なり、画像表示パネルにより変調されたＲ、Ｇ、Ｂの光束も異なった角度で画像表示パネルから出射する。このような出射角度の差異にかかわらず、画像表示パネルにより変調されたＲ、Ｇ、Ｂの光束を被投影面上において同じ割合でシフトさせることにより、異なる画素領域で変調されたＲ、Ｇ、Ｂ光を被投影面上の同一領域を順次照射させる必要がある。
【００２５】
変調されたＲ、Ｇ、Ｂ光が被投影面上において完全に重ならない場合、被投影面の画面内に、周期的なドット状の模様が現れ、投影された画像の画質を損なう。
【００２６】
本発明は、上記課題を解決するためになされたものであり、その目的は、明るく高解像度で均一かつ高品質な表示を実現し、小型化および低コスト化に適した投影型画像表示装置を提供することにある。
【００２７】
【課題を解決するための手段】
本発明の投影型画像表示装置は、光源と、各々が光を変調することができる複数の画素領域を有する画像表示パネルと、前記光源からの光を複数の波長域の光に分離し、前記分離された波長域の光をその波長域に応じて前記複数の画素領域のうちの対応する画素領域に集光させる光制御手段と、前記画像表示パネルで変調された光によって被投影面上に画像を形成する光学系と、前記画像を構成する各フレーム画像のデータから複数のサブフレーム画像のデータを生成し、前記画像表示パネルによって前記複数のサブフレーム画像を時分割で表示させる回路と、前記画像表示パネルによって表示される前記複数のサブフレーム画像のうち選択されたサブフレーム画像を前記被投影面上でシフトさせる光学シフト素子とを備え、前記光学シフト素子が、前記画像表示パネルから出射する前記分離された複数の波長域の光のうち、人間に対して最も視感度の高い波長領域の光を被投影面上において前記画像表示パネルの画素ピッチの整数倍だけシフトさせるよう、前記光学シフト素子が前記視感度の高い波長領域の光に対して最適化されている。
【００２８】
ある好ましい実施形態において、前記光学シフト素子は、光の偏向方向を変調する液晶層、および、光の偏向方向により屈折率の異なる複屈折板をそれぞれ有する第１および第２の光学シフト部を含み、前記第１および第２の光学シフト部の複屈折板の光学軸の入射面の法線に対する角度および前記複屈折板の厚さが、前記視感度の高い光に対して最適化されている。
【００２９】
ある好ましい実施形態において、前記視感度の高い波長領域の光は、波長５５０ｎｍの光を含む。
【００３０】
ある好ましい実施形態において、前記複屈折板の光学軸は、前記光学シフト素子の複屈折板の入射面の法線に対して角度θをなしており、前記角度θは、４０〜５０度の範囲にある。
【００３１】
ある好ましい実施形態において、前記視感度の高い波長領域の光は、前記第１の光学シフト部の複屈折板の入射面の法線に対して角度αをなすよう前記複屈折板の入射面に入射し、前記視感度の高い波長領域の光の入射角は前記複屈折板の光学軸に対して角度θ＋αをなしている。
【００３２】
ある好ましい実施形態において、前記複屈折板は水晶板である。
【００３３】
ある好ましい実施形態において、前記光制御手段は、前記光源から放射される白色光を前記複数の波長域の光に分離するための複数のダイクロイックミラーと、前記ダイクロイックミラーにより、分離された光を前記画像表示パネルの対応する画素領域へ集光するために、前画像表示パネルに設けられたマイクロレンズアレイとを含む。
【００３４】
【発明の実施の形態】
本発明の投影型画像表示装置では、特許文献６に開示されているように、光源から出射する白色光を、ダイクロイックミラーなどの光制御手段を用いて、赤（Ｒ）、緑（Ｇ）、青（Ｂ）の波長領域にその成分を持つ光に分離する。分離されたＲ、Ｇ、Ｂ光は、マイクロレンズアレイを用いて画像表示パネルの異なる画素領域に異なった角度で入射される。分離されたＲ、Ｇ、Ｂ光は、時間の経過にかかわらず、同一の画層領域には、同じ色の光が照射される。
【００３５】
画像表示パネルには、画像を構成する各フレーム画像のデータから生成された複数のサブフレーム画像のデータを時分割で表示させる。たとえば、各フレーム画像は、３つのサブフレーム画像に分割され、３つのサブフレーム画像は、画像表示パネル上において、１画素分ずつシフトして表示される。この時、あるフレーム画像を構成する１つの画素に注目すると、この画素は、Ｒ、Ｇ、Ｂ光がそれぞれ照射されている画像表示パネル上の画素領域に対応する。
【００３６】
画像表示パネルに異なった角度で入射したＲ、Ｇ、Ｂの光は互いに異なった角度で画像表示パネルから出射する。出射するＲ、Ｇ、Ｂの光は、サブフレーム画像のデータを用いて画像表示パネルにより変調されるため、サブフレーム画像となる。
【００３７】
これらの複数のサブフレーム画像のうち、選択されたサブフレーム画像は、光学シフト素子によって、被投影面上においてその位置がシフトされて表示される。
【００３８】
この方式においては、被投影面上で同じ位置に投影されるべき各色画素の表示位置にズレが生じていると、投影された画像は、スクリーン全体においてドット模様を含み、画質劣化につながる。このため、光学シフト素子のシフト量を正確に制御することが重要である。
【００３９】
本発明では、光学シフト素子として、入射光の偏光方向によって異なる屈折率を示す副屈折素子と、副屈折素子に入射する光の偏光方向を変調するための偏光方向切替素子とを用いる。光学シフト素子によるシフト量は、副屈折素子へ入射する光の光軸の方向および複屈折素子の厚さに依存する。光学シフト素子へ入射するＲ、Ｇ、Ｂの光の入射角の違いが、上述した被投影面上におけるシフト量に影響を与え、投影された画像の画質の劣化を引き起こす。
【００４０】
本発明では、上述した投影型画像表示装置におけるこのシフト量をできるだけ小さくし、高品位の画像を表示しうる投影型画像表示装置を提供する。なお、本発明の適用範囲は投影型画像表示装置に限定されず、ビュワーやヘッド・マウント・ディスプレイなどの直視型画像表示装置にも好適に適用されるが、以下においては、投影型の画像表示装置を例にとり、本発明の好ましい実施形態を説明する。
【００４１】
まず、図１から図３を参照しながら本実施形態の投影型画像表示装置の構造を概略的に説明する。
【００４２】
本実施形態の投影型画像表示装置は、光源１と、液晶表示パネル８と、光源１からの光を波長域に応じて液晶表示パネル８の対応する画素領域に集光させる光制御手段と、液晶表示パネル８によって変調された光を被投影面上に投射する投影光学系とを備えている。
【００４３】
この投影型画像表示装置は、更に、光源１から後方に出た光（白色光）を前方に反射する球面鏡２と、光源１および球面鏡２からの光を平行光束にするコンデンサーレンズ３と、この光束を波長域に応じて複数の光束に分離するダイクロイックミラー４〜６を備えている。ダイクロイックミラー４〜６によって反射された光は、波長域に応じて異なる角度でマイクロレンズアレイ７に入射する。マイクロレンズアレイ７は液晶表示パネル８の光源側基板に取りつけられており、異なる角度でマイクロレンズ７に入射した光は、それぞれ異なる位置の対応する画素領域に集められる。
【００４４】
本投影型画像表示装置の投影光学系は、フィールドレンズ９および投影レンズ１１から構成されており、液晶表示パネル８を透過した光束１２をスクリーン（被投影面）１３に投射する。本実施形態では、フィールドレンズ９と投影レンズ１１との間に、光学シフト素子１０が配置されている。図１には、光学シフト素子１０によって被投影面に平行な方向にシフトされた光束１２ａ、１２ｂが示されている。光束のシフトを行うには、光学シフト素子１０は液晶表示パネル８とスクリーン１３との間の何れかの位置に挿入されていればよく、投影レンズ１１とスクリーン１３との間に配置されていても良い。
【００４５】
次に、本投影型画像表示装置の各構成要素を順番に説明する。
【００４６】
本実施形態においては、光源１として、光出力１５０Ｗ、アーク長５ｍｍ、アーク径２．２ｍｍのメタルハライドランプを用い、このランプをアーク長方向が図面の紙面と平行となるように配置している。光源１としては、メタルハライドランプ以外に、ハロゲンランプ、超高圧水銀ランプ、またはキセノンランプ等を用いても良い。本実施形態で使用する光源１は、三原色に対応する３つの波長域の光を含む白色光を放射する。
【００４７】
光源１の背面には球面鏡２が配置され、光源１の前面には口径８０ｍｍφ、焦点距離６０ｍｍのコンデンサーレンズ３が配置されている。球面鏡２は、その中心が光源１の発光部の中心と一致するように配置されており、コンデンサーレンズ３は、その焦点が光源１の中心と一致するように配置されている。
【００４８】
このような配置構成により、光源１から出射された光は、コンデンサーレンズ３によって平行化され、液晶表示パネル８を照らすことになる。コンデンサーレンズ３を通過した光の平行度は、例えば、アーク長方向（図１の紙面に平行な方向）に約２．２°、アーク径方向に約１°となる。
【００４９】
本実施形態で使用する液晶表示パネル８は、光源側の透明基板上にマイクロレンズアレイ７が配置された透過型液晶表示素子である。液晶の種類や動作モードは任意であるが、高速動作し得るものであることが好ましい。本実施形態ではＴＮ（ツイステッド・ネマティック）モードで動作する。液晶表示パネル８には、光を変調するための複数の画素領域が設けられているが、本願明細書における「画素領域」とは、画像表示パネルにおいて空間的に分離された個々の光変調部を意味する。液晶表示パネル８の場合は、個々の画素領域に対応する画素電極によって液晶層の対応部分に電圧が印加され、その部分の光学特性が変化することによって光の変調が行われる。
【００５０】
この液晶表示パネル８では、例えば７６８（Ｈ）×１０２４（Ｖ）の走査線がノンインターレースで駆動される。液晶表示パネル８の画素領域は透明基板上に二次元的に配列されており、本実施形態の場合、画素領域のピッチは水平方向に沿って測定した値も垂直方向に沿って計測した値も２６μｍである。図２は、図１に示す液晶表示パネル８近傍の構造を拡大して示している。図２に示すように本実施形態の場合、Ｒ用、Ｇ用、Ｂ用画素領域８Ｒ、８Ｇ、８Ｂは、それぞれ、画面の水平方向（図２では紙面に垂直な方向）に沿ってストライプ状に配列され、各マイクロレンズ７ａが３つの画素領域（Ｒ用、Ｇ用、Ｂ用画素領域８Ｒ、８Ｇ、８Ｂ）からなるセットに割り当てられている。
【００５１】
本実施形態においては、Ｒ用、Ｇ用、Ｂ用画素領域８Ｒ、８Ｇ、８Ｂは、それぞれ、画面の水平方向（図２では紙面に垂直な方向）に沿ってストライプ状に配列されているが、各マイクロレンズ７ａが３つの画素領域（Ｒ用、Ｇ用、Ｂ用画素領域８Ｒ、８Ｇ、８Ｂ）からなるセットに割り当てられてさえいれば、Ｒ用、Ｇ用、Ｂ用画素領域８Ｒ、８Ｇ、８Ｂはモザイク状に配列されていても良い。
【００５２】
液晶表示パネル８を照射するＲ、Ｇ、およびＢ光は、図１に示すように、光源１から放射された白色光をダイクロイックミラー４、５、および６によって分離したものであり、液晶表示パネル８上のマイクロレンズアレイ７へ異なる角度で入射する。Ｒ、Ｇ、およびＢ光の入射角度を適切に設定することにより、図２に示すように、マイクロレンズ７によって各波長域に対応する画素領域へ適切に振り分けられる。本実施形態では、マイクロレンズ７の焦点距離を１２０μｍとし、各光束がなす角度が１０．０２°になるように設計している。より詳細には、Ｒ光は液晶表示パネル８に対して垂直に入射し、Ｂ光およびＧ光は、それぞれ、Ｒ光に対して１０．０２°の角度で入射する。
【００５３】
ダイクロイックミラー４、５、および６は、図３に示すような分光特性を有しており、それぞれ、緑色（Ｇ）、赤色（Ｒ）、および青色（Ｂ）の光を選択的に反射する。Ｇ光の波長域は５２０〜５８０ｎｍ、Ｒ光の波長域は６００〜６５０ｎｍ、Ｂ光の波長域は４２０〜４８０ｎｍである。
【００５４】
本実施形態では、３原色の光を対応する画素領域に集めるためにダイクロイックミラー４〜６およびマイクロレンズアレイ７を用いているが、他の光学的な手段（例えば、光の回折・分光機能を付与された透過型ホログラム）を用いても良い。
【００５５】
上述したように液晶表示パネル８はノンインターレースで駆動されるため、１秒間に６０フレームの画像が表示され、各フレームに割り当てられる時間（フレーム期間）Ｔは１／６０秒、すなわち、Ｔ＝１／６０（秒）≒１６．６（ミリ秒）となる。なお、インターレースで駆動される場合は、画面内の走査線を偶数ラインと奇数ラインに分け、交互に表示していくため、Ｔ＝１／３０（秒）≒３３．３（ミリ秒）となる。また、各フレームを構成する偶数フィールドおよび奇数フィールドの各々に割り当てられた時間（１フィールド期間）は、１／６０≒１６．６（ミリ秒）となる。
【００５６】
本実施形態の投影型画像表示装置は、各フレーム画像の情報（データ）からなる画像データを受け取り、各フレーム画像のデータを逐次フレームメモリに蓄え、そのフレームメモリから選択的に読み出した情報に基づいて複数のサブフレーム画像を順次形成し、サブフレーム画像を画像表示パネル８に時分割で表示させるサブフレーム画像生成回路１４を備える。以下、サブフレーム画像生成回路１４におけるサブフレーム画像の形成方法を詳細に説明する。
【００５７】
例えば、あるフレームの画像（フレーム画像）が図４（ａ）に示すような画像であるとする。このフレーム画像はカラー表示されるべきものであり、各画素の色は、上記フレーム画像を規定するデータに基づいて決定される。なお、インターレース駆動の場合は、或るフィールドの画像が本願明細書における「フレーム画像」と同様に取り扱われ得る。
【００５８】
まず、図４（ａ）に示すカラー表示用のフレームデータから各画素についてＲ、Ｇ、およびＢ光用のデータを分離し、図４（ｂ）、（ｃ）、および（ｄ）に示すように、Ｒ画像用フレーム、Ｇ画像用フレーム、およびＢ画像用フレームの各データを生成する。これらのデータは図５の左側に示すように、Ｒ、Ｇ、およびＢ用フレームメモリにそれぞれ格納される。
【００５９】
図５の右側部分には、表示サブフレーム１〜３が示されている。本実施形態によれば、あるフレームの最初の３分の１の期間（第１サブフレーム期間）において、被投影面上には表示サブフレーム１の画像が被投影面上に表示される。そして、次の３分の１の期間（第２サブフレーム期間）には、表示サブフレーム２の画像が表示され、最後の３分の１の期間（第３サブフレーム期間）には、表示サブフレーム３の画像が表示される。本実施形態では、これら３つのサブフレーム画像が図６に示すようにシフトし、時間的にずれながら合成される結果、人間の目には図４（ａ）に示すような原画像が認識されることになる。
【００６０】
次に、表示サブフレーム１を例にとり、サブフレーム画像のデータ構成を詳細に説明する。まず、表示サブフレーム１の第１行画素領域用データは、図６に示すように、Ｒ用フレームメモリに記憶されている第１行目画素（Ｒ１）に関するデータから形成される。表示サブフレーム１の第２行画素領域用データは、Ｇ用フレームメモリに記憶されている第２行目画素（Ｇ２）に関するデータから形成される。表示サブフレーム１の第３行画素領域用データは、Ｂ用フレームメモリに記憶されている第３行目画素（Ｂ３）に関するデータから形成される。表示サブフレーム１の第４行画素領域用データは、Ｒ用フレームメモリに記憶されている第４行目画素（Ｒ４）に関するデータから形成される。以下、同様の手順で表示サブフレーム１のデータが構成される。
【００６１】
表示サブフレーム２および３のデータも、表示サブフレーム１の場合と同様にして構成される。例えば表示サブフレーム２の場合、第０行画素領域用データは、Ｂ用フレームメモリに記憶されている第１行目画素（Ｂ１）に関するデータから形成され、表示サブフレーム２の第１行画素領域用データはＲ用フレームメモリに記憶されている第２行目画素（Ｒ２）に関するデータから形成される。表示サブフレーム２の第２行画素領域用データはＧ用フレームメモリに記憶されている第３行目画素（Ｇ３）に関するデータから形成され、表示サブフレーム２の第３行画素領域用データはＢ用フレームメモリに記憶されている第４行目画素（Ｂ４）に関するデータから形成される。
【００６２】
このようにしてＲ、Ｇ、およびＢ用フレームメモリの各々から読み出したデータを予め設定された順序で組み合わせることによって、時分割表示されるサブフレームの各々のデータが生成される。この結果、サブフレーム用データの各々は、Ｒ、Ｇ、およびＢの全ての色に関する情報を含んでいるが、Ｒ、Ｇ、およびＢのそれぞれについて、空間的には全体の３分の１の領域に関する情報を有しているだけである。より詳細に述べれば、図５から明らかにように、表示サブフレーム１は、Ｒ画像フレームの第１、４、７、１０…行の画素に関するデータと、Ｇ画像フレームの第２、５、８、１１…行の画素に関するデータと、Ｂ画像フレームの第３、６、９、１２…行の画素に関するデータとを含む。表示サブフレーム２は、Ｂ画像フレームの第１、４、７、１０…行の画素に関するデータと、Ｒ画像フレームの第２、５、８、１１…行の画素に関するデータと、Ｇ画像フレームの第３、６、９、１２…行の画素に関するデータとを含む。また、表示サブフレーム３は、Ｇ画像フレームの第１、４、７、１０…行の画素に関するデータと、Ｂ画像フレームの第２、５、８、１１…行の画素に関するデータと、Ｒ画像フレームの第３、６、９、１２…行の画素に関するデータとを含む。なお、図５からわかるように、画像表示パネルの画素領域の全行数は、１つのサブフレーム画像を構成する画素の全行数よりも２行だけ多い。この２行は光学シフトのマージンとして機能する。
【００６３】
原画像フレームを再現するためには、Ｒ画像フレームの第１行、Ｂ画像フレームの第１行およびＧ画像フレームの第１行を合成しなければならない。図６に示すように、これらの情報は、表示サブフレーム１、２および３において、１行目、０行目および−１行目に割り当てられる。したがって、これらのサブフレーム画像を被投影面上において、表示サブフレーム１に対して、表示サブフレーム２は１画素分、シフトさせて表示し、表示サブフレーム１に対して、表示サブフレーム３は２画素分シフトさせて表示する。つまり、投影面上の各画素では、３つの表示サブフレームが順次シフトして表示される。この各サブフレーム間における画像のシフトは光学シフト素子１０によって行われる。
【００６４】
なお、サブフレームの生成方法および生成したサブフレームの時分割表示方法は、上述した一例に限定されるものではない。特許文献６に開示されているように、３以上のサブフレームを用いて時分割表示をおこなってもよい。
【００６５】
次に、光学シフト素子１０およびサブフレーム画像のシフト方法を説明する。
【００６６】
図７および図８は、光学シフト素子１０に用いられる光学シフト部１０’を模式的に示している。光学シフト部１０’は、光の偏向方向を直交する２つの方向の間で切り換えることにより、画像表示パネル８（図１）によって変調されたサブフレーム画像の偏光方向を変調する第１の素子（液晶素子）ｇ１と、光の偏光方向によって異なる屈折率を有する物質をからなる第２の素子（水晶板）ｇ２とを有している。本実施形態では、第１の素子は液晶層を含む液晶素子であり、第２の素子は水晶板である。本明細書において、「偏光方向」とは、光の電場ベクトルの振動方向を意味する。偏光方向は、光の伝搬方向に垂直である。また、電場ベクトルと光の伝搬方向の両方を含む平面を「振動面」または「偏光面」と称することとする。
【００６７】
図７および図８に示されている例では、画像表示パネル８を出た光は水平方向に偏光しているとする。つまり偏光方向は図において水平方向である。液晶素子ｇ１の液晶層に電圧を印加しない場合には、図７に示すように、画像表示パネルを出た光の偏光方向は液晶層によって９０°だけ回転させられるこれに対し、液晶素子ｇ１の液晶層に適切なレベル電圧を印加している場合は、図８に示すように、画像表示パネルを出た光の偏光面は、光が液晶素子ｇ１を透過する過程で回転しない。なお、ここでは、回転角度が９０°である場合を例示しているが、液晶層の設計によっては、回転角度を任意に設定することが可能である。
【００６８】
水晶板ｇ２は、単軸結晶（正結晶）であり、複屈折性を持つため、入射光の偏光方向によって異なる屈折率を示す。水晶板ｇ２は、その光入射面ｆ２が入射光の光軸ｋ０と垂直になるように配置されている。水晶板ｇ２の光学軸ｋ２は、図７および図８において、垂直な面内に含まれているが、水晶板ｇ２の光入射面ｆ２からは傾斜している。ここで、「光軸」とは、光の回転対称軸をいい、「光学軸」とは、複屈折性結晶において複屈折の起きない方向の軸をいう。このため、図７に示すように、偏光方向が垂直な光が水晶板ｇ２に入射すると、光は光軸ｋ０と水晶の光学軸ｋ２とがなす角θに応じて、光学軸ｋ２を含む面内で屈折し、光は垂直方向にΔｄだけ平行にシフトする。入射する光の光軸と出射する光の光軸とは平行になっている。この場合、水晶板ｇ２の光学軸ｋ２と入射光の光軸ｋ０の両方を含む平面（以下、「主断面」と称する。）が入射光の偏光面と平行な関係にある。このように偏光面が主断面に平行な入射光は、水晶板ｇ２にとって「異常光」である。ここで、角θは９０度以下の値である。
【００６９】
一方、図８に示すように、偏光面が水平方向の光が水晶板ｇ２に入射すると、偏光面が水晶板ｇ２の光学軸ｋ２（または主断面）と直交するため、光は屈折せず、光のシフトも生じない。したがって、水晶いたｇ２から出射する光の光軸は入射光の光軸と一致する。この場合、水晶板ｇ２に入射する光は、水晶板ｇ２にとって「常光」である。
【００７０】
このように、液晶素子ｇ１に電圧を印加するか否かによって、水晶板ｇ２に入射する光の偏光方向を制御し、また、偏光方向の異なる光を水晶板ｇ２に入射させることにより、水晶板ｇ２から出射する光のシフトを調節することができる。なお、本実施形態では液晶素子ｇ１に水平方向に偏光した光を入射させて、水晶板ｇ２において光を垂直方向にシフトさせているが、垂直方向に偏光した光を液晶素子ｇ１に入射させ、水晶板ｇ２において光を水平方向にシフトさせてもよい。
【００７１】
ここで、図９に示すように、水晶板ｇ２の厚さをｔとし、水晶板ｇ２の異常光線屈折率および常光線屈折率をそれぞれ、ｎｅおよびｎｏとする。また、光学軸ｋ２が主断面内において入射面ｆ２の法線からθ°傾斜している場合、水晶板ｇ２に対して垂直に入射する光Ｌに対する出射光Ｌ’のシフト量Δｄは以下の式で表される。
【００７２】
【数１】
2004145217.tif 000003
【００７３】
Δｄ：シフト量
ｎｅ：　異常光線屈折率
ｎｏ：　常光線屈折率
θ：　入射面の法線と光学軸ｋ２とがなす角度
ｔ：　水晶板の厚み
【００７４】
水晶板ｇ２に対して斜めから入射する光に対する出射光のシフト量Δｄは、式（１）に対して、媒質中での入射する光の光軸と水晶の光学軸とのなす角をθとし、水晶板ｇ２とそれに接する媒質との間の計算にはスネルの公式を適用して、求めることができる。
【００７５】
この式から、光束のシフト量Δｄと水晶板ｇ２の厚さｔとは比例し、光学軸の方向θによってもシフト量が変化することがわかる。したがって、水晶板ｇ２の厚さｔ、および、光軸方向θを調節することによって、サブフレーム画像のシフト量を任意の値に設定することができる。
【００７６】
本実施形態の光学シフト部１０’では、液晶層を一対の透明電極で挟み込み、それによって適切な電圧を液晶層の全体に一括的に印加することができるようにしている。また、本実施形態では、屈折率異方性Δεが正のＴＮ液晶を用い、電圧を印加したときに、電界の向きに液晶分子を配向させることによって、入射光の偏光方向を回転させず、電圧を印加しないときに、液晶分子を９０°ねじれた配向を行わせることによって入射光の偏光方向を９０°回転させる。しかし、屈折率異方性Δεが負のＴＮ液晶を用い、液晶層に電圧を印加したとき、入射光の偏光方向を９０°回転させ、電圧を印加しないときに入射光の偏光方向を回転させないようにしてもよい。
【００７７】
本実施形態では、光学シフト部１０’において、適切な電圧を液晶層の全体に一括的に印加することができるようにしているが、部分的に印加しても良く、さらに、画像表示パネルの走査に同期して、順次対応する液晶層の領域に電圧を印加するとなお良い。
【００７８】
上述したように、光学シフト部１０’は、図７に示す状態、または、第８に示す状態をとることによって、画像をΔｄだけシフトさせことができる。つまり、２つの異なる位置を選択することができる。しかし、図４から図６を参照して説明したように、Ｒ、Ｇ、Ｂの光を被投影面上で重ねあわせるためには、画像パネルにより変調されたサブフレーム画像を１画素分および２画素分、被投影面上でシフトさせる必要があり、したがって、光学シフト素子１０は、少なくとも３つの異なる位置を選択できなければならない。
【００７９】
このため、本実施形態の光学シフト素子１０は、図７（または図８）に示されるような光学シフト部１０’を２つ含んでおり、この２つの光学シフト部１０’を光路上に直列的に配置することにより、最大で４つの異なる位置を選択できるよう画像をシフトさせることができる。この光学シフト素子１０によれば、光路上の光入射側に位置する光学シフト部１０’の液晶層および光出射側に位置する光学シフト部１０’の液晶層への電圧印加状態にしたがって、被投影面上における４つの異なる位置を選択することができる。
【００８０】
４つの位置を選択するには、たとえば図１０に示すように、第１の光学シフト部１０’ａを透過した光が第２の光学シフト部１０’ｂを透過するよう、入射側に厚さ２ｔの水晶板ｇ２を有する第１の光学シフト部１０’ａを配置し、出射側に厚さｔの水晶板ｇ２を有する第２の光学シフト部１０’ｂを配置する。式（１）より、シフト量Δｄは水晶板ｇ２の厚みｔに比例するので、第１の光学シフト部１０’ａで２ピッチシフトさせ、第２の光学シフト部１０’ｂで１ピッチシフトさせることができる。入射側と出射側の光学シフト部１０’は入れ替えてもよい。また、３つの位置を選択するには、入射側および出射側の光学シフト部１０’の水晶板ｇ２の厚さを等しくし、同じピッチだけシフトするようにすればよい。選択される４つ（３つ）の異なる位置は、第１の光学シフト部１０’ａの液晶素子ｇ１（光入射側）に対する電圧印加状態（ＯＮ／ＯＦＦ）および第２の光学シフト部１０’ｂの液晶素子ｇ１（光出射側）に対する電圧印加状態（ＯＮ／ＯＦＦ）の組み合わせ、すなわち、それぞれの液晶層における正常光か異常光かの選択によって決定される。
【００８１】
図１０に示すように、第１の光学シフト部１０’ａの液晶素子ｇ１に印加する電圧によって、入射光は２つの位置をとることができ、そのそれぞれ光に対し、第２の光学シフト部１０’ｂの液晶素子ｇ１に印加する電圧によって、さらに２つの位置をとることができる。ここで、第１の光学シフト部１０’ａの水晶板ｇ２および第２の光学シフト部１０’ｂの第２の光学シフト部１０’ｂの光学軸ｋ２はいずれも紙面に水平な面内にあるが、傾きは入射光に対して反対になっている。このため、第１の光学シフト部１０’ａにより異常光が屈折する方向と第２の光学シフト部１０’により異常光が屈折する方向は逆である。また、第１の光学シフト部１０’ａを透過した後の光は異常光と正常光とで偏向方向が９０°ずれている。このため、この異常光および正常光が第２の光学シフト部１０’を透過するとき、光がシフトする条件は、異常光と正常光とで逆になる。
【００８２】
次に、光学シフト素子に用いる水晶板ｇ２の設計方法を説明する。水晶板ｇ２におけるシフト量を決めるためには、光学軸ｋ２の方向とその厚さを決める必要がある。まず、光学軸ｋ２について説明する。
【００８３】
上述したように本発明では、画像表示パネルに異なった角度で入射したＲ、Ｇ、Ｂの光は互いに異なった角度で画像表示パネルから出射する。このため、光学シフト素子の水晶板ｇ２に入射するＲ、Ｇ、Ｂ光の入射角も異なっている。本実施形態においては，図１１に示すように、Ｒ光に対してＧ光およびＢ光がそれぞれ１０．０２°の角度αをなして水晶板ｇ２に入射する。この角度αは、スネルの法則により、水晶板ｇ２内で６．４７°になる。Ｒ光を挟んでＢ光およびＧ光がなす角は２αであり、この角度を色分離角と呼ぶ。
【００８４】
式（１）に示す入射面の法線と水晶板ｇ２の光学軸ｋ２とがなす角度θとシフト量との関係をグラフに示すと図１２のようになる。図１２から明らかなように、角度θが４５度であるとき、シフト量は最大となる。また、Ｒ光に対してＧ光およびＢ光は角度αだけ傾いているため、光学軸ｋ２の傾きがある角度θになっていても、Ｒ光、Ｇ光、Ｂ光のシフト量は異なる。図１２に示すように、角度θが４５度付近では、Ｒ光、Ｇ光、Ｂ光に対するシフト量の差は小さく、角度θが４５度より大きくなるか、または小さくなるにつれてＲ光、Ｇ光、Ｂ光に対するシフト量の差は大きくなる。つまり、色分離角に対するシフト量の差が大きくなる。
【００８５】
図１１および図１２から明らかなように、Ｒ光に対してＧ光およびＢ光が角度αだけ傾いているため、Ｒ光のシフト量を基準として、Ｒ光のシフト量に対するにＧ光およびＢ光に対するシフト量差を考えれば、基準とした光のシフト量に対する他の２つの光のシフト量誤差は小さくなる。しかし、本願発明者は、Ｒ光を基準とするよりも、人間に対して視感度の高いＧ光を基準とし、Ｇ光が最適シフト量をとるときのＲ光およびＢ光のシフト量差をシフト誤差として評価し、このシフト誤差を所定の値以下にすることによって、投影された画像の品質を高いものに保つことができることを見出した。つまり、視感度の高いＧ光に対して光学シフト素子を最適化することによって、全体として、投影された画像の品質を高いもにすることができる。
【００８６】
一般に人間は波長５５０ｎｍの光に対して、最も視感度が高い。本実施形態では、Ｒ光、Ｇ光、Ｂ光がそれぞれ上述した波長領域の光を含むため、これらの光の中で波長５５０ｎｍの光を含むＧ光を基準としているが、他の分離した波長域の光を用いる場合には、分離した複数の波長域の光のうち、最も人間に対する視感度が最も高い波長域の光を選択して基準とすればよい。
【００８７】
図１３は、Ｇ光を基準とし、Ｇ光シフト量に対するＲ光およびＢ光のシフト量差およびこれらの平均をシフト誤差として示している。図１３に示すように、光学軸ｋ２の傾きが約４５度（厳密には４４．８度）においてシフト誤差が少なく、光学軸ｋ２の傾きに対する入射光の角度依存性が最も小さくなるといえる。本実施形態では、光学軸ｋ２の傾きが３７〜５０度であればシフト誤差はおおむね１０％以内に抑えることができ、傾きが４０〜４８度であればシフト誤差はおおむね５％以内に抑えることができることが分かる。つまり、光学軸ｋ２の傾きは、３７〜５０度であることが好ましく、４０〜４８度であることがより好ましい。
【００８８】
次に、水晶板ｇ２の厚さについて説明する。上述したように、光学軸の傾きを４５度とし、Ｒ光を基準としてＲ光が１画素分シフトするときの水晶板ｇ２の厚さを式（１）から求める。本実施形態では第１の光学シフト部１０’ａ（入射側）および第２の光学シフト部１０’ｂ（出射側）の水晶板ｇ２の厚さをそれぞれ、７．１５ｍｍおよび３．５７ｍｍとする。このとき、Ｇ光およびＢ光の正しいシフト位置からの誤差を百分率で表１に示す。表においてシフト位置Ａ〜Ｄは図１０で示す光線に対応している。また、図１０に示すように、光学軸ｋ２と入射面ｆ２の法線とを含む平面上において、Ｒ光を入射面ｆ２に対して垂直に入射させ、Ｇ光およびＢ光は光学軸ｋ２に対してθ＋αおよびθ−αの角度をなすように液晶素子ｇ１および水晶板ｇ２に入射させる。つまり、入射面ｆ２の法線に対して、Ｇ光を光学軸ｋ２の方向と逆向き入射させ、Ｂ光は光学軸ｋ２の方向と同じ向きに入射させる。
【００８９】
【表１】
2004145217.tif 000004
【００９０】
表１に示すように、この場合、最大でシフト誤差は３．０％（Ｇ光の位置Ａにたいする誤差）であり、また、全体の平均は約０．９％となる。特に視感度の高い、Ｇ光の誤差が大きいため、投影された画像の画質が劣化して感じられる可能性がある。
【００９１】
次に、Ｇ光を基準としてＧ光が１画素分シフトするように、Ｇ光に対して第１の光学シフト部１０’ａ（入射側）および第２の光学シフト部１０’ｂ（出射側）の水晶板ｇ２の厚さを最適化する。具体的には、Ｇ光が水晶板ｇ２に対して斜めに入射するので、上述したように、スネルの公式を用いて換算した角度θを用い、水晶板ｇ２の厚さを求める。本実施形態では、第１の光学シフト部１０’ａ（入射側）および第２の光学シフト部１０’ｂ（出射側）の水晶板ｇ２の厚さをそれぞれ、７．２６ｍｍおよび３．６１ｍｍとする。表２は、このときのＲ光およびＢ光の正しいシフト位置からの誤差を示す。
【００９２】
【表２】
2004145217.tif 000005
【００９３】
表２に示すように、視感度の高いＧ光に対する誤差がゼロとなるだけでなく、全体のシフト誤差の平均は約０．６％となる。つまり、Ｇ光を基準としてＧ光が１画素分シフトするように、設計することによって高品位の画像を投影することができる。
【００９４】
さらに、図１４に示すように、上述の場合とＧ光およびＢ光の入射方向を逆にし、Ｇ光およびＢ光を光学軸ｋ２に対してθ−αおよびθ＋αの角度をなすように第１の光学シフト部１０’ａの液晶素子ｇ１および水晶板ｇ２に入射させる場合のシフト誤差を表３に示す。つまり、第１の光学シフト部１０’ａの液晶素子ｇ１の入射面ｆ２の法線に対して、Ｇ光を光学軸ｋ２の方向と同じ向きに入射させ、Ｂ光は光学軸ｋ２の方向と逆向きに入射させる。
【００９５】
【表３】
2004145217.tif 000006
【００９６】
この場合、表３から明らかなように、各シフト位置において、いずれの波長の光もシフト誤差が２．２％を越えることはなくなる。また、全体のシフト誤差の平均も約０．５％となり、さらにシフト誤差を低減させることができる。
【００９７】
なお、Ｇ光が１画素分シフトするように、Ｇ光に対して最適化された水晶板ｇ２の厚さは、式（１）から求められる値から多少ずれていてもよく、式（１）から求められる値から±１％以内の値であれば、投影される画像に品位の劣化はほとんど認識されない。つまり、Ｇ光に対して最適化された水晶板ｇ２の厚さとは、式（１）から求められる値から±１％の範囲にある数値をいう。
【００９８】
以上、液晶表示素子を画像表示パネルとして用いる投影型画像表示装置について本発明を説明したが、本発明はこれに限定されるものではない。本発明は液晶表示素子以外の表示素子、たとえば、デジタルミラーデバイス（ＤＭＤ）などを画像表示パネルに用いる投影型画像表示装置にも適用することができる。また、ヘッド・マウント・ディスプレイなどの直視型画像表示装置に本発明を適用する場合には、目の網膜が画像の被投影面として機能する。
【００９９】
【発明の効果】
本発明によれば、被投影面の画面内に、周期的なドット状の模様などがない、高品位の画像を投影することのできる投影型画像表示装置を得ることができる。
【図面の簡単な説明】
【図１】本発明の投影型画像表示装置を示す模式図である。
【図２】図１に示す投影型画像表示装置の液晶表示パネル付近を拡大して示す断面図である。
【図３】図１に示す投影型画像表示装置のダイクロイックミラーの分光特性を示すグラフである。
【図４】現画像フレームから色別画像フレームを生成する方法を説明する図である。
【図５】色別画像フレームから３つの表示サブフレームを生成する方法を説明する図である。
【図６】表示サブフレームのシフトの態様を示す図である。
【図７】光学シフト素子の光学シフト部の構成および動作を説明する模式図である。
【図８】光学シフト素子の光学シフト部の構成および動作を説明する他の模式図である。
【図９】光学シフト部に用いられる水晶板の光学軸と透過する光の光軸のシフト方向との関係を示す図である。
【図１０】光学シフト素子を示す模式図である。
【図１１】る水晶板に入射するＲ、Ｇ、Ｂ光の入射角を説明する図である。
【図１２】水晶板の光学軸と光軸のシフト量との関係を示すグラフである。
【図１３】水晶板の光学軸と入射する光の波長領域によるシフト量の差との関係を示すグラフである。
【図１４】光学シフト素子の他の例を示す模式図である。
【図１５】従来のフィールド順次投影型画像表示装置を示す図である。
【符号の説明】
１　光源
２　球面鏡
３　コンデンサーレンズ
４　、５、６　ダイクロイックミラー
７　マイクロレンズアレイ
８　液晶表示パネル
９　フィールドレンズ
１０　光学シフト素子
１０’　光学シフト部
１０’ａ　第１の光学シフト部
１０’ｂ　第２の光学シフト部
ｇ１　液晶素子
ｇ２　水晶板
ｋ２　光学軸
【図１】
2004145217.tif 000007
【図２】
2004145217.tif 000008
【図３】
2004145217.tif 000009
【図４】
2004145217.tif 000010
【図５】
2004145217.tif 000011
【図６】
2004145217.tif 000012
【図７】
2004145217.tif 000013
【図８】
2004145217.tif 000014
【図９】
2004145217.tif 000015
【図１０】
2004145217.tif 000016
【図１１】
2004145217.tif 000017
【図１２】
2004145217.tif 000018
【図１３】
2004145217.tif 000019
【図１４】
2004145217.tif 000020
【図１５】
2004145217.tif 000021